(57)【要約】  【課題】  識別モジュールの挿入の煩わしさや識別モジュールの紛失、抜き取られなどを無くし、識別モジュールの登録の手間を軽減できる通信システムを提供する。  【解決手段】  加入者認証のための識別情報が登録された加入者登録レジスター（ＨＬＲ）２０６と、携帯電話機から送られてきた識別情報がＨＬＲ２０６に登録されている場合には、その携帯電話機に対して通信サービスの提供を行う移動端末交換局（ＭＳＣ）２０５とを有する通信システムにおいて、ＨＬＲ２０６に登録された識別情報と同一の識別情報が記録された識別モジュール２０２から識別情報を読み出すＳＩＭアダプタ４０７と、ＭＳＣ２０５に接続されたＳＩＭ書き込み機２１１とを備え、ＳＩＭ書き込み機２１１は、読み出された識別情報がＨＬＲ２０６に記録されている場合は、ＳＩＭ書き込み機２１１に接続された携帯電話機２０１ａに対し前記識別情報の書き込みを行う。【選択図】      図４
2005318026.tif 000002
【特許請求の範囲】
【請求項１】
加入者認証のための識別情報が登録された登録サーバと、通信端末装置から送られてきた識別情報が前記登録サーバに登録されている場合には、該通信端末装置に対して通信サービスの提供を行う交換局とを有する通信システムにおいて、
前記登録サーバに登録された識別情報と同一の識別情報が記録された識別モジュールから識別情報を読み出す読出手段と、
前記交換局に接続された識別情報書き込み機と、
を備え、
前記識別情報書き込み機は、前記読み出された識別情報が前記登録サーバに記録されている場合は、前記識別情報書き込み機に接続された他の通信端末装置に対し前記識別情報の書き込みを行うことを特徴とする通信システム。
【請求項２】
前記識別情報書き込み機は、前記読み出された識別情報を前記登録サーバに送り、前記登録サーバからその送った識別情報が登録されているとの通知があった場合に、前記他の通信端末装置に対し前記識別情報の書き込みを行うことを特徴とする請求項１に記載の通信システム。
【請求項３】
前記識別情報書き込み機は、ファミリー契約申し込みの要求があったとき、前記交換局にファミリー契約申し込み通知と前記識別モジュールから読み出された識別情報を送り、その結果、前記交換局からその送った識別情報が前記登録サーバに登録されているとの通知があった場合に、前記他の通信端末装置に対し前記識別情報の書き込みを行うことを特徴とする請求項１または請求項２に記載の通信システム。
【請求項４】
前記他の通信端末装置は、
前記識別情報書き込み機に専用ケーブルで接続される外部インターフェイス部と、
該外部インターフェイス部を介して前記識別情報書き込み機から送られてきた識別情報を記憶する識別情報記憶部と、
書き込まれた暗号鍵により前記識別情報記憶部へのアクセスを認証するアクセス認証部と、
を備え、前記暗号鍵を有しないアクセスを不正アクセスとして受け付けないようにしたことを特徴とする請求項１〜請求項３のいずれかに記載の通信システム。
【請求項５】
前記他の通信端末装置は、前記アクセス認証部が前記不正アクセスを検出した場合には、前記識別情報記憶部に記憶されている識別情報を無効とすることを特徴とする請求項４に記載の通信システム。
【請求項６】
前記他の通信端末装置は、識別モジュールが挿入される識別モジュール挿入部を備え、通信サービスの提供を受ける際に、前記識別モジュール挿入部に識別モジュールが挿入されていない場合は、前記識別情報記憶部に記憶されている識別情報を送信し、前記識別モジュール挿入部に識別モジュールが挿入されている場合は、挿入された識別モジュールに記録されている識別情報を送信することを特徴とする請求項４または請求項５に記載の通信システム。
【請求項７】
前記他の通信端末装置は、
識別モジュールを認証するために識別モジュールに割り当てられた個人認証番号が登録される個人認証番号登録部と、
前記識別モジュール挿入部に挿入された識別モジュールを認証するために個人認証番号の入力が行われるときに、前記個人認証番号登録部に登録されていない個人認証番号の入力が行われた場合には、挿入された識別モジュールに高電圧を印加する高電圧発生部と、  を備えることを特徴とする請求項６に記載の通信システム。
【請求項８】
通信サービスを提供した通信端末装置から送られてきた識別情報から識別される加入者に通信料金を課金するための課金サーバを備えることを特徴とする請求項１〜請求項７のいずれかに記載の通信システム。
【請求項９】
前記登録サーバには、前記識別モジュール及び前記他の通信端末装置のそれぞれに対応して、前記識別モジュールに記録されているとともに前記他の通信端末装置に書き込まれた識別情報を含む加入者情報が登録されており、前記識別モジュールに対応して登録されている第１の加入者情報の登録が無効とされた場合には、前記他の通信端末装置に対応して登録されている第２の加入者情報の登録も無効とすることを特徴とする請求項１〜請求項８のいずれかに記載の通信システム。
【請求項１０】
前記登録サーバには、前記識別モジュール及び前記他の通信端末装置のそれぞれに対応して、前記識別モジュールに記録されているとともに前記他の通信端末装置に書き込まれた識別情報を含む加入者情報が登録されており、前記識別モジュールに対応して登録されている第１の加入者情報の登録が無効とされた場合であっても、前記他の通信端末装置に対応して登録されている第２の加入者情報の登録は有効とすることを特徴とする請求項１〜請求項８のいずれかに記載の通信システム。
【請求項１１】
前記登録サーバに登録されている加入者情報の編集を前記通信端末装置から無線通信で行えるようにしたことを特徴とする請求項９または請求項１０に記載の通信システム。
【請求項１２】
前記通信端末装置は、前記加入者情報の編集の終了を報知する第１の報知手段を有することを特徴とする請求項１１に記載の通信システム。
【請求項１３】
前記登録サーバに登録されている加入者情報の編集を前記識別情報書き込み機で行えるようにしたことを特徴とする請求項９〜請求項１２のいずれかに記載の通信システム。
【請求項１４】
前記識別情報書き込み機は、前記加入者情報の編集の終了を報知する第２の報知手段を有することを特徴とする請求項１３に記載の通信システム。
【請求項１５】
前記識別情報書き込み機が、情報処理装置であることを特徴とする請求項１〜請求項１４のいずれかに記載の通信システム。
【請求項１６】
前記通信端末装置が、携帯電話機であることを特徴とする請求項１〜請求項１５のいずれかに記載の通信システム。
【請求項１７】
加入者認証のための識別情報が登録された登録サーバと、通信端末装置から送られてきた識別情報が前記登録サーバに登録されている場合には、該通信端末装置に対して通信サービスの提供を行う交換局とを有する通信システムで使用される通信端末装置であって、
前記登録サーバに登録された識別情報が記録された識別モジュールが挿入される識別モジュール挿入部と、
前記識別情報を記憶する識別情報記憶部と、
のいずれか一方、または両方を具備することを選択可能にしたことを特徴とする通信端末装置。
【請求項１８】
加入者認証のための識別情報が登録された登録サーバと、通信端末装置から送られてきた識別情報が前記登録サーバに登録されている場合には、該通信端末装置に対して通信サービスの提供を行う交換局とを有する通信システムで使用される情報処理装置であって、
前記登録サーバに公衆回線または専用回線を介して接続され、識別モジュールから読み出された識別情報が前記登録サーバに記録されている場合は、専用ケーブルで接続された他の通信端末装置に対して前記識別情報の書き込みを行うことを特徴とする情報処理装置。
【請求項１９】
請求項１６に記載の情報処理装置にインストールまたはダウンロードされ、前記識別情報の書き込み動作を制御するプログラムが記憶されていることを特徴とする記憶媒体。
【発明の詳細な説明】
【技術分野】
【０００１】
本発明は、そのシステムを利用するにあたり、ユーザの識別情報を必要とする通信システム、及びその通信システムで使用される通信端末装置、情報処理装置、記憶媒体に関するものである。
【背景技術】
【０００２】
従来より欧州では、携帯端末の通信システムとして、ＧＳＭ(Global System for Mobile communication)携帯端末システム（以下、ＧＳＭという）が主流となっている。ＧＳＭでは、ユーザがキャリアと契約した時点でそのキャリアから交付されるＳＩＭ(Subscriber Identity Module)カードという識別モジュールを必要とする。ＳＩＭカードには、ユーザを識別する識別情報を含むユーザの契約者個人情報が書き込まれており、ＳＩＭカードを通信端末装置に挿入することにより、その通信端末装置でＧＳＭの通信サービスを利用することができるようになっている。
【０００３】
また、第三世代（Ｇ３）と呼ばれるＩＭＴ−２０００(International Mobile Telecommunications 2000)やＷ−ＣＤＭＡ(Wideband Code Division Multiple Access)といった新システムにおいても、ＵＳＩＭ(Universal SIM)、Ｒ−ＳＩＭ(Removable SIM)、ＵＩＭ(User Identity Module)といった識別モジュールを必要とする。
【０００４】
このような識別モジュールが用いられる通信システムは、そのシステムに対応した通信端末装置であれば、どの通信端末装置であっても、識別モジュールを挿入することで使用が可能になるという長所がある。
【０００５】
例えば、ＧＳＭの場合、ユーザが海外へ出張する時であっても、出張先がＧＳＭシステム利用可能地域であり、且つ自分の契約キャリアと出張先のＧＳＭキャリアがローミング可能であれば、ＳＩＭカードのみを持参し、現地で好みの携帯電話機をレンタルしてその携帯電話機に持参したＳＩＭカードを挿入することにより、自国で通話するのと同じように携帯電話機による通話が出来るようになる。
【０００６】
また、ひとつのＳＩＭカードで多重セルラー電話システムへのアクセスを可能とする提案がなされている（例えば、特許文献１参照）。
【０００７】
また、ひとつのＳＩＭカードと全く同じものを家族用に準備しておき、家族の一人がＳＩＭカードを持って出かけても、基本料金を重複して支払うことなく、残りの家族も電話サービスを受けることができるようにする提案もなされている（例えば、特許文献２参照）。
【特許文献１】特表２００１―５０５３７２号公報
【特許文献２】特開平８―１４０１３６号公報
【発明の開示】
【発明が解決しようとする課題】
【０００８】
ところで、近年の携帯電話システムの加入契約では、加入条件のオプションが多種に渡り、特に、ファミリー契約では親が責任者としてその家族が複数人加入することで料金設定が安くなるメリットがある。しかしながら、識別モジュールが用いられる携帯電話システムでは、家族用に使用条件を限定されている携帯電話機であっても、通信サービスを利用するときには携帯電話機にいちいち識別モジュールを挿入する必要があり、煩わしいという問題があった。
【０００９】
また、使用する家族が若年の子供である場合、識別モジュールの紛失や、識別モジュールが抜き取られ、抜き取られた識別モジュールの不正使用による高額な課金問題や、識別モジュールに記録されているユーザの契約者個人情報の流出というようなアクシデントが発生することもあった。また、家族分の識別モジュールを登録する登録の煩わしさもあった。更に、責任者以外の家族が使用する携帯電話機であっても、通常の携帯電話機と何ら変わりはなく、携帯電話機のコストが高いという問題もあった。
【００１０】
また、特許文献１に記載の従来技術では、挿入したＳＩＭカードが所望形式のセルラ電話システムにおいて十分な通信標準要求加入情報を含んでいない場合は、代わりに、セルラ通信に関与させる際にＳＩＭカード記憶の共通情報と共に使用するために、内部メモリからＳＩＭカードから失われた非共通な固有の通信標準要求予約情報が読み出されるので、所望形式のセルラ通信を行うことができるが、ユーザにとって通信端末装置にＳＩＭカードを挿入する煩わしさがあることには何ら変わりはない。
【００１１】
また、特許文献２に記載の従来技術では、機器認識番号の違いで各端末を識別することにより、家族全員が同時に複数の端末を利用することはできるが、家族が利用する全ての端末の電話番号は全て同じであり、発呼者はどの端末が誰の端末なのかを事前に知らなければ希望する端末に電話できないといった不便さがあった。しかもＳＩＭを必要とすることでは従来のＧＳＭシステムと何ら変わりはなくＳＩＭを挿入するための煩わしさ、端末構造が複雑、コスト高になる問題があった。さらに、ＳＩＭ紛失といったアクシデントやＳＩＭが抜き取られることによるＳＩＭの不正使用という社会問題を引き起こしていた。
【００１２】
本発明は、上記の問題点に鑑み、識別モジュールの挿入の煩わしさや識別モジュールの紛失、抜き取られなどを無くし、識別モジュールの登録の手間を軽減できる通信システム、及びその通信システムで使用されコストを低減することのできる通信端末装置、及びその通信端末装置の登録に用いられる情報処理装置、記憶媒体を提供することを目的とする。
【課題を解決するための手段】
【００１３】
上記目的を達成するために本発明は、加入者認証のための識別情報が登録された登録サーバと、通信端末装置から送られてきた識別情報が前記登録サーバに登録されている場合には、該通信端末装置に対して通信サービスの提供を行う交換局とを有する通信システムにおいて、前記登録サーバに登録された識別情報と同一の識別情報が記録された識別モジュールから識別情報を読み出す読出手段と、前記交換局に接続された識別情報書き込み機とを備え、前記識別情報書き込み機は、前記読み出された識別情報が前記登録サーバに記録されている場合は、前記識別情報書き込み機に接続された他の通信端末装置に対し前記識別情報の書き込みを行うようにしたものである。
【００１４】
この構成によると、前記他の通信端末装置は、通信サービスの提供を受ける際に、前記識別情報書き込み機から書き込まれた識別情報を前記交換局に送ることにより通信サービスの提供を受けることができる。即ち、この送られた識別情報は前記登録サーバに登録されているので、前記他の通信端末装置は、識別モジュールを挿入することなく通信サービスの提供を受けることができる。従って、前記他の通信端末装置用の識別モジュールは不要となる。
【００１５】
また、例えば、前記識別情報書き込み機は、前記読み出された識別情報を前記登録サーバに送り、前記登録サーバからその送った識別情報が登録されているとの通知があった場合に、前記他の通信端末装置に対し前記識別情報の書き込みを行うようにすると、前記登録サーバに確実に登録されている識別情報を前記他の通信端末装置に書き込むことができる。
【００１６】
また、例えば、前記識別情報書き込み機は、ファミリー契約申し込みの要求があったとき、前記交換局にファミリー契約申し込み通知と前記識別モジュールから読み出された識別情報を送り、その結果、前記交換局からその送った識別情報が前記登録サーバに登録されているとの通知があった場合に、前記他の通信端末装置に対し前記識別情報の書き込みを行うようにすると、前記登録サーバに確実に登録されている識別情報をファミリー契約された通信端末装置に書き込むことができる。
【００１７】
また、例えば、前記他の通信端末装置は、前記識別情報書き込み機に専用ケーブルで接続される外部インターフェイス部と、該外部インターフェイス部を介して前記識別情報書き込み機から送られてきた識別情報を記憶する識別情報記憶部と、書き込まれた暗号鍵により前記識別情報記憶部へのアクセスを認証するアクセス認証部とを備え、前記暗号鍵を有しないアクセスを不正アクセスとして受け付けないようにすると、前記識別情報記憶部に不正な識別情報が記憶されることが防止できる。
【００１８】
また、例えば、前記他の通信端末装置は、前記アクセス認証部が前記不正アクセスを検出した場合には、前記識別情報記憶部に記憶されている識別情報を無効とすると、前記不正アクセスが検出された後は、この通信端末装置で通信サービスを受けることができなくなる。
【００１９】
また、例えば、前記他の通信端末装置は、識別モジュールが挿入される識別モジュール挿入部を備え、通信サービスの提供を受ける際に、前記識別モジュール挿入部に識別モジュールが挿入されていない場合は、前記識別情報記憶部に記憶されている識別情報を送信し、前記識別モジュール挿入部に識別モジュールが挿入されている場合は、挿入された識別モジュールに記録されている識別情報を送信するようにすると良い。
【００２０】
この構成によると、前記識別モジュール挿入部に識別モジュールが挿入されていない場合であっても、前記他の通信端末装置は通信サービスの提供を受けることができる。一方、前記識別モジュール挿入部に識別モジュールが挿入され、挿入された識別モジュールに記録されている識別情報が前記登録サーバに登録されている場合も、前記他の通信端末装置は通信サービスの提供を受けることができ、提供を受けた通信サービスに対する通信料金は、挿入された識別モジュールに記録されている識別情報から識別される加入者に対して課金される。
【００２１】
また、例えば、前記他の通信端末装置は、識別モジュールを認証するために識別モジュールに割り当てられた個人認証番号が登録される個人認証番号登録部と、前記識別モジュール挿入部に挿入された識別モジュールを認証するために個人認証番号の入力が行われるときに、前記個人認証番号登録部に登録されていない個人認証番号の入力が行われた場合には、挿入された識別モジュールに高電圧を印加する高電圧発生部とを備えると良い。
【００２２】
この構成によると、前記個人認証番号登録部に登録されていない識別モジュールを用いて不正な通信サービスを受けようとすると、この識別モジュールに高電圧を印加することができる。
【００２３】
また、例えば、通信サービスを提供した通信端末装置から送られてきた識別情報から識別される加入者に通信料金を課金するための課金サーバを備えると、前記識別モジュールを装着した通信端末装置と、前記識別情報が書き込まれた前記他の通信端末装置とから送信される識別情報は同一となるので、前記識別モジュールを装着した通信端末装置と、前記識別情報が書き込まれた前記他の通信端末装置との通信料金は、同一の識別情報から識別される一人の加入者に課金されることになる。
【００２４】
また、例えば、前記登録サーバには、前記識別モジュール及び前記他の通信端末装置のそれぞれに対応して、前記識別モジュールに記録されているとともに前記他の通信端末装置に書き込まれた識別情報を含む加入者情報が登録されており、前記識別モジュールに対応して登録されている第１の加入者情報の登録が無効とされた場合には、前記他の通信端末装置に対応して登録されている第２の加入者情報の登録も無効とすると、前記識別モジュールを装着した通信端末装置と、前記識別情報が書き込まれた前記他の通信端末装置とから送られてくる識別情報は前記登録サーバに存在しないことになる。即ち、前記識別モジュールを装着した通信端末装置と、前記識別情報が書き込まれた前記他の通信端末装置とは共に通信サービスが受けられなくなる。
【００２５】
また、例えば、前記登録サーバには、前記識別モジュール及び前記他の通信端末装置のそれぞれに対応して、前記識別モジュールに記録されているとともに前記他の通信端末装置に書き込まれた識別情報を含む加入者情報が登録されており、前記識別モジュールに対応して登録されている第１の加入者情報の登録が無効とされた場合であっても、前記他の通信端末装置に対応して登録されている第２の加入者情報の登録は有効とすると、前記識別モジュールを装着した通信端末装置では通信サービスの提供を受けることをできなくしたときであっても、前記他の通信端末装置では通信サービスの提供を受けることができるようにすることができる。
【００２６】
また、例えば、前記登録サーバに登録されている加入者情報の編集を前記通信端末装置から無線通信で行えるようにすると、前記加入者情報を有効／無効にするというような編集を容易に行うことができる。
【００２７】
また、例えば、前記通信端末装置は、前記加入者情報の編集の終了を報知する第１の報知手段を有すると、ユーザは前記加入者情報の編集の終了を容易に認識することができる。
【００２８】
また、例えば、前記登録サーバに登録されている加入者情報の編集を前記識別情報書き込み機で行えるようにすると、前記加入者情報を有効／無効にするというような編集を容易に行うことができる。
【００２９】
また、例えば、前記識別情報書き込み機は、前記加入者情報の編集の終了を報知する第２の報知手段を有すると、ユーザは前記加入者情報の編集の終了を容易に認識することができる。
【００３０】
また、例えば、前記識別情報書き込み機が、情報処理装置であると、パーソナルコンピュータ等の情報処理装置で前記他の通信端末装置に対し前記識別モジュールから読み出された識別情報の書き込みを行うことができる。
【００３１】
また、例えば、前記通信端末装置が、携帯電話機であると、識別モジュールの挿入の煩わしさや識別モジュールの紛失、抜き取られなどを無くし、識別モジュールの登録の手間を軽減した携帯電話通信システムが実現できる。
【００３２】
また、本発明は、加入者認証のための識別情報が登録された登録サーバと、通信端末装置から送られてきた識別情報が前記登録サーバに登録されている場合には、該通信端末装置に対して通信サービスの提供を行う交換局とを有する通信システムで使用される通信端末装置であって、前記登録サーバに登録された識別情報が記録された識別モジュールが挿入される識別モジュール挿入部と、前記識別情報を記憶する識別情報記憶部とのいずれか一方、または両方を具備することを選択可能にした通信端末装置としたものである。
【００３３】
この構成によると、識別モジュールを挿入して通信サービスの提供を受ける通信端末装置と、識別モジュールを挿入することなく通信サービスの提供を受けることのできる通信端末装置との２種類の通信端末装置を最初から別々に製作せずとも、識別モジュール挿入部と識別情報記憶部以外の共通部分のみを製作しておき、ユーザの希望に応じて、識別モジュール挿入部と識別情報記憶部のいずれか一方、または両方を取り付けることにより、前記２種類の通信端末装置を製作することができる。また、後から識別モジュール挿入部と識別情報記憶部との取り付けを変更することも可能となる。
【００３４】
また、本発明は、加入者認証のための識別情報が登録された登録サーバと、通信端末装置から送られてきた識別情報が前記登録サーバに登録されている場合には、該通信端末装置に対して通信サービスの提供を行う交換局とを有する通信システムで使用される情報処理装置であって、前記登録サーバに公衆回線または専用回線を介して接続され、識別モジュールから読み出された識別情報が前記登録サーバに記録されている場合は、専用ケーブルで接続された他の通信端末装置に対して前記識別情報の書き込みを行う情報処理装置としたものである。
【００３５】
この構成によると、前記情報処理装置によって、前記他の通信端末装置の識別情報記憶部に識別情報を書き込むことができる。そして、この識別情報を書き込む際には、前記識別モジュールに記録されている識別情報が前記登録サーバに登録されているか否かが確認されるので、前記他の通信端末装置に正規に登録された識別情報を書き込むことができる。
【００３６】
また、本発明は、前記情報処理装置にインストールまたはダウンロードされ、前記識別情報の書き込み動作を制御するプログラムが記憶されている記憶媒体としたものである。これにより、前記プログラムをインストールまたはダウンロード可能な情報処理装置を用いて、通信端末装置への識別情報の書き込み動作を行うことが可能となる。
【発明の効果】
【００３７】
本発明によると、ファミリー契約された通信端末装置に、識別情報書き込み装置によって識別モジュールに記録されている識別情報と同一の識別情報が書き込まれるので、この識別情報が書き込まれた通信端末装置は、識別モジュールを挿入することなく通信サービスの提供を受けることができ、この通信端末装置用の識別モジュールは不要となる。従って、識別モジュールの挿入の煩わしさや識別モジュールの紛失、抜き取られなどを無くすことのできる通信システムを実現することができる。また、この通信端末装置には識別モジュールを挿入するための機構等が不要となり、この通信端末装置のコストが低減されるので、通信システムのコストを低減することができる。
【００３８】
また、本発明によると、通信端末装置の識別情報記憶部に識別情報を記憶することができるので、識別モジュールを挿入することなく通信サービスの提供を受けることができる通信端末装置とすることができる。更に、アクセス認証部により、前記識別情報記憶部に不正な識別情報が記憶されることが防止でき、識別情報書き込み機から書き込まれた正規の識別情報のみを前記識別情報記憶部に記憶することができる。また、前記アクセス認証部が前記不正アクセスを検出した場合には、前記識別情報記憶部に記憶されている識別情報を無効とするので、前記不正アクセスが検出された後は、この通信端末装置で通信サービスを受けることができなくなり、前記識別情報記憶部へ不正な識別情報を記憶させる不正行為が行われることを抑制することができる。
【００３９】
また、本発明によると、識別情報が書き込まれる前記通信端末装置は、更に識別モジュール挿入部を有することもできるので、前記識別モジュール挿入部に識別モジュールが挿入されていない場合であっても、前記通信端末装置は通信サービスの提供を受けることができ、一方、前記識別モジュール挿入部に識別モジュールが挿入され、挿入された識別モジュールに記録されている識別情報が前記登録サーバに登録されている場合も、前記通信端末装置は通信サービスの提供を受けることができ、提供を受けた通信サービスに対する通信料金は、挿入された識別モジュールに記録されている識別情報から識別される加入者に課金することができる。
【００４０】
また、本発明によると、通信端末装置に個人認証番号登録部と高電圧発生部とが設けられており、前記個人認証番号登録部に登録されていない識別モジュールを用いて不正な通信サービスを受けようとすると、この識別モジュールに高電圧を印加することによりこの識別モジュールの以後の使用を不能にするので、不正行為の拡大を防ぐことができる。
【００４１】
また、本発明によると、通信サービスを提供した通信端末装置から送られてきた識別情報から識別される加入者に通信料金を課金するための課金サーバを備えているので、識別モジュールを装着した通信端末装置と、識別情報が書き込まれた他の通信端末装置とから送信される識別情報が同一となり、前記識別モジュールを装着した通信端末装置と、前記識別情報が書き込まれた前記他の通信端末装置との通信料金は、同一の識別情報から識別される一人の加入者に課金されることになる。従って、通信料金を一元的に管理することができる。
【００４２】
また、本発明によると、前記識別モジュールに対応して登録されている前記登録サーバの第１の加入者情報の登録が無効とされた場合には、前記他の通信端末装置に対応して登録されている前記登録サーバの第２の加入者情報の登録も無効とするので、前記識別モジュールを装着した通信端末装置と、前記識別情報が書き込まれた前記他の通信端末装置とは共に通信サービスが受けられなくなる。これにより、前記識別モジュールが無効となった場合に、前記識別情報が書き込まれた前記他の通信端末装置を用いて不正な通信サービスの提供を受けるということが防止できる。
【００４３】
また、本発明によると、前記識別モジュールに対応して登録されている前記登録サーバの第１の加入者情報の登録が無効とされた場合であっても、前記他の通信端末装置に対応して登録されている前記登録サーバの第２の加入者情報の登録は有効とするので、前記識別モジュールを装着した通信端末装置では通信サービスの提供を受けることをできなくしたときであっても、前記他の通信端末装置では通信サービスの提供を受けることができるようにすることができる。これにより、前記識別モジュールが無効となった場合であっても、前記他の通信端末装置は、引き続き通信サービスの提供を受けることができる。
【００４４】
また、本発明によると、前記登録サーバに登録されている加入者情報の編集を前記通信端末装置から無線通信で行えるようにし、その編集の終了を報知する第１の報知手段を設けたので、ユーザは、前記加入者情報を有効／無効にするというような編集を容易に行うことができるとともに、前記加入者情報の編集の終了を容易に認識することができる。
【００４５】
また、本発明によると、前記登録サーバに登録されている加入者情報の編集を前記前記識別情報書き込み機で行えるようにし、その編集の終了を報知する第２の報知手段を設けたので、ユーザは、前記加入者情報を有効／無効にするというような編集を容易に行うことができるとともに、前記加入者情報の編集の終了を容易に認識することができる。
【００４６】
また、本発明によると、前記識別情報書き込み機が情報処理装置であるので、パーソナルコンピュータ等の情報処理装置で前記他の通信端末装置に対し前記識別モジュールから読み出された識別情報の書き込みを行うことができる。また、前記通信端末装置が携帯電話機であるので、識別モジュールの挿入の煩わしさや識別モジュールの紛失、抜き取られなどを無くし、識別モジュールの登録の手間を軽減した携帯電話通信システムが実現できる。
【００４７】
また、本発明によると、通信端末装置に識別モジュール挿入部と識別情報記憶部のいずれか一方、または両方を具備することを選択可能にしたので、識別モジュールを挿入して通信サービスの提供を受ける通信端末装置と、識別モジュールを挿入することなく通信サービスの提供を受けることのできる通信端末装置との２種類の通信端末装置のそれぞれをユーザの希望に応じて製作することができる。また、後から識別モジュール挿入部と識別情報記憶部との取り付けを変更することも可能となる。
【００４８】
また、本発明によると、識別モジュールから読み出された識別情報が登録サーバに記録されている場合は、専用ケーブルで接続された通信端末装置に対して前記識別情報の書き込みを行う情報処理装置としたので、該情報処理装置によって、前記通信端末装置に識別情報を書き込むことができる。そして、この識別情報を書き込む際には、前記識別モジュールに記録されている識別情報が前記登録サーバに登録されているか否かが確認されるので、前記通信端末装置に正規に登録された識別情報を書き込むことができる。また、前記識別情報の書き込み動作のプログラムが記憶された記憶媒体から前記プログラムを情報処理装置にインストールまたはダウンロードすることにより、この情報処理装置によって通信端末装への識別情報の書き込み動作を行うことが可能となる。
【発明を実施するための最良の形態】
【００４９】
以下に、本発明の実施形態を図面を参照して詳細に説明する。図１は本発明の一実施形態のＧＳＭ（通信システム）を示すブロック図である。
【００５０】
ＧＳＭでは、キャリアと契約すると、ユーザを識別する識別情報を含むユーザの契約者個人情報（以下、ＳＩＭ情報という）が書き込まれたＳＩＭカードが発行され、そのＳＩＭカードを携帯電話機に挿入することにより、その携帯電話機でのＧＳＭの利用が可能となる。即ち、携帯電話機が基地局と交信開始するときには、その携帯電話機に挿入されるＳＩＭカードに書き込まれたＳＩＭ情報が基地局側でチェックされ、正規のユーザであることが認証されると通信が可能となり、そのユーザへの課金が行われる。このＳＩＭ情報は、ＳＩＭカードに書き込まれたＧＳＭ専用の認証確認アルゴリズムと共に暗号化されており、違法な書き換えや盗聴が出来ないよう管理されている。
【００５１】
図１において、２００、２０１ａ、２０１ｂ、２０１ｃは携帯電話機（通信端末装置）であり、また、２０２は携帯電話機２００に挿入されるＳＩＭカードである。また、２１２は一般的に基地局と言われる基地局システム(ＢＳＳ:Base Station System)であり、ＢＳＳ２１２は、電波塔を有する複数の基地局(ＢＴＳ:Base Transceiver Station)２０３と、それらをコントロールする基地局制御センター(ＢＳＣ:Base Station Controller)２０４との組み合わせで構成されている。そして、複数のＢＳＳ２１２を統括している基幹サーバが移動端末交換局(ＭＳＣ:Mobile Service Switching Center)２０５であり、ここが公衆回線あるいは専用回線である公衆回線／専用回線２０９へのインターフェイスとなっている。
【００５２】
ＭＳＣ２０５の管理下には３つのレジスターが存在し、加入者登録レジスター(ＨＬＲ:Home Location Register)２０６には、キャリアに登録されている全ユーザの契約者個人情報が登録されている。また、ローミング登録レジスター(ＶＬＲ:Visitor Location Register)２０７には、ローミング契約で他のキャリアからローミングにより回線利用するユーザの契約者個人情報が登録され、機器識別番号登録レジスター(ＥＩＲ:Equipment ID Register)２０８には、キャリアに登録されている全端末のＩＤ情報が登録されており、これら３つのレジスターがＭＳＣ２０５で管理されている。
【００５３】
また、キャリアと契約し各地域に展開している携帯電話販売店２１０には予め登録可能な新規契約端末用の電話番号が割り当てられており、ここで新規登録を行うと契約した個人の情報や新規に割り当てられた電話番号、購入した電話機の機器識別情報やオプション契約情報等がＭＳＣ２０５に登録され、また、同一の情報がＳＩＭカード２１３にも書き込まれてユーザに渡される。この登録手順は携帯電話販売店２１０に設置されたＳＩＭ書き込み機（以下、専用パソコンという）２１１により実行され、専用パソコン２１１が公衆回線／専用回線２０９によりＭＳＣ２０５に接続され、登録手続きが連絡される。そして、ＭＳＣ２０５の承認が完了すると新規登録端末はＧＳＭの利用が可能となる。尚、後述する本発明の特徴である携帯電話機２０１ａ、２０１ｂ、２０１ｃへのＳＩＭ情報の書き込みも、この携帯電話販売店２１０に設置された専用パソコン２１１により実行される。
【００５４】
ところで、現在、日本で一般的な課金オプションとしてファミリー契約がある。これは家族で複数の端末をグループ登録する契約のことで、キャリアは加入者増で電話の使用料金を増収出来るメリットがあり、一方、利用者は複数端末契約にも拘わらず安い料金設定で利用出来るメリットがある。
【００５５】
図１に示す携帯電話機２００、２０１ａ、２０１ｂ、２０１ｃは、ＧＳＭを使用した通信サービスを行うキャリアと携帯電話機２００が親機、携帯電話機２０１ａ、２０１ｂ、２０１ｃが子機の関係でファミリー契約されている。例えば、父が先ず１台目（親機、携帯電話機２００）に登録加入し、次に母が２台目（第１子機、携帯電話機２０１ａ）に加入、学生である長男が３台目（第２子機、携帯電話機２０１ｂ）に加入、次男が４台目（第３子機、携帯電話機２０１ｃ）に加入するといった具合である。
【００５６】
すべての課金は父が責任を持って支払うことを条件に、２台目以降の端末の加入条件や課金条件、各種サービスへの申し込みに制限が設けられるものの、結果的にはキャリアへの使用料金は４人が別個に加入するよりも安くなるため、家計への負担が減ることでこのようなファミリー契約は多くの家庭で利用されている。尚、このファミリー契約での各種登録内容は、ＭＳＣ２０５の管理下のファミリー契約登録サーバ２１４に登録され、課金情報は課金サーバ２１５に登録される。
【００５７】
ＧＳＭキャリアとファミリー契約すると、親機である携帯電話機２００に対しては、通常の契約と同様にユーザの契約者個人情報であるＳＩＭ情報が書き込まれたＳＩＭカード２０２が発行され、ＳＩＭカード２０２を携帯電話機２００に挿入することにより、携帯電話機２００でのＧＳＭの利用が可能となる。即ち、携帯電話機２００が基地局と交信開始するときには、挿入されたＳＩＭカード２０２に書き込まれたＳＩＭ情報が基地局側でチェックされ、正規のユーザであることが認証されると通信が可能となり、そのユーザへの課金が行われる。
【００５８】
また、このファミリー契約の第１、第２、第３子機である携帯電話機２０１ａ、２０ｂ、２０１ｃに対しては、それぞれのＳＩＭカードが発行される代わりに、携帯電話機２０１ａ、２０１ｂ、２０１ｃ内に内蔵された記憶部（図示せず）に、親機用に発行されたＳＩＭカード２０２に書き込まれているＳＩＭ情報に基づいた新規のＳＩＭ情報が後述する書き込み手順で書き込まれる。そして、携帯電話機２０１ａ、２０１ｂ、２０１ｃが基地局と交信開始するときには、それぞれの記憶部に書き込まれたＳＩＭ情報が基地局側でチェックされ、正規のユーザであることが認証されると通信が可能となり、そのユーザへの課金が行われる。
【００５９】
即ち、前記ファミリー契約や類似のグループ契約において、子機である携帯電話機２０１ａ、２０１ｂ、２０１ｃへのＳＩＭカードを廃止し、ＳＩＭカード２０２のＳＩＭ情報をベースに携帯電話機２０１ａ、２０１ｂ、２０１ｃへ新規に個別なＳＩＭ情報を書き込むことで、あたかも仮想的にＳＩＭカードを使っているようにしているのである。これにより、煩わしいＳＩＭカード登録を廃止でき、ＳＩＭカード挿入を不要とすることでコスト的にも安価な携帯電話機（携帯端末装置）を提供すると共に、ＳＩＭカードの不正使用を防止することが可能となる。
【００６０】
図２は、図１に示す携帯電話機（通信端末装置）の内部構成を示すブロック図である。説明の便宜上、図１と同一の部分には同一の符号を付している。図２において、１００は図１に示す携帯電話機２００、２０１ａ、２０１ｂ、２０１ｃを代表して示す携帯電話機である。
【００６１】
携帯電話機１００は、電話機能部１０１、ＣＰＵ部１０２、ＲＡＭ部１０４、ＲＯＭ部１０５、外部Ｉ／Ｆ（インターフェイス）部１０６、キー操作部１１３、表示部１１４、第１オプション部１１５、第２オプション部１１６、電池部１１９から構成されている。
【００６２】
電話機能部１０１は、携帯電話機１００の通常の電話機能を有し、図示しない基地局と通信を行う部分であり、ＣＰＵ部１０２は、携帯電話機１００の全ての機能を制御する部分である。また、ＲＡＭ部１０４、ＲＯＭ部１０５は、ＣＰＵ部１０２で実行されるプログラムやデータを保存するメモリであり、外部Ｉ／Ｆ部１０６は、外部の情報処理装置等とデータ等のやり取りを行うためのインターフェイス部分である。そして、キー操作部１１３のキー操作により電話番号や各種データが入力され、表示部１１４の液晶画面等にユーザに対する各種表示が行われる。また、電池部１１９は、携帯電話機１００の各部に充電電池等からの電源を供給する。
【００６３】
第１オプション部１１５は、ＳＩＭカードが挿入されるＳＩＭ挿入部１０８とＳＩＭ−Ｉ／Ｆ部１０７と、高電圧発生部１１８から構成され、ＳＩＭ挿入部１０８に挿入されるＳＩＭカード１１１に記録されたＳＩＭ情報が、ＳＩＭ−Ｉ／Ｆ部１０７を介してＣＰＵ部１０２に読み出される。
【００６４】
また、高電圧発生部１１８は、発生させた高電圧をＳＩＭ−Ｉ／Ｆ部１０７を介してＳＩＭ挿入部１０８に挿入されている第三者のＳＩＭカード１１１に印加し、第三者のＳＩＭカード１１１を以後、使用不能にすることにより、第三者のＳＩＭカード１１１の不正使用を防止しようとするものである。
【００６５】
また、第２オプション部１１６は、ＳＩＭ情報メモリ部１０３とアクセス認証部１１２とから構成されている。そして、外部の専用パソコン２１１でＳＩＭカード２０２に保存されているＳＩＭ情報に基づいて作成された新規のＳＩＭ情報が、専用パソコン２１１と専用ケーブル１１７で接続された外部Ｉ／Ｆ部１０６を介してＣＰＵ部１０２に送られ、更に、ＣＰＵ１０２からアクセス認証部１１２を介してＳＩＭ情報メモリ部１０３に書き込まれる。
【００６６】
第１オプション部１１５と第２オプション部１１６は、携帯電話機の購入時に、いずれか一方、または両方を取り付けることが選択できるようになっており、例えば、図１に示す親機である携帯電話機２００には第１オプション部１１５のみが取り付けられ、子機である携帯電話機２０１ａ、２０１ｂ、２０１ｃには第２オプション部１１６のみが取り付けられている。
【００６７】
親機である携帯電話機２００は、挿入されたＳＩＭカード２０２に記録されているＳＩＭ情報によりＧＳＭの利用を可能にする従来のＧＳＭ用の携帯電話機であるが、子機である携帯電話機２０１ａ、２０１ｂ、２０１ｃは、ＳＩＭカードを挿入する必要はなく、ＳＩＭカードに記録されているＳＩＭ情報の代わりに、ＳＩＭ情報メモリ部１０３に記憶されているＳＩＭ情報によりＧＳＭの利用を可能にしている。
【００６８】
ＳＩＭカードに内蔵されるデータとしては、一般に、ユーザの契約者情報、個人識別情報、認証アルゴリズム、管理情報、ＩＭＳＩ(International Mobile Subscriber Identity:電話番号）といった強制的な必須情報と、電話帳などのプライベート情報と、各種ダイヤル番号情報、課金に関する情報などの任意的な情報と、ＰＩＮ（Personal Identification Number：個人認証番号）に関するセキュリティ情報の４つに大別される。そして、それぞれの情報はＳＩＭカード内部のそれぞれのエリアに保存されている。
【００６９】
図３は、ＳＩＭカード内部の構成を示すブロック図である。図３において、３００はＳＩＭカードであり、ＳＩＭカード３００は、上述した強制的な必須情報が保存されている強制的な必須情報エリア部３０４、プライベート情報が保存されているプライベート情報エリア部３０７、任意的な情報が保存されている任意的な情報エリア部３０５、セキュリティ情報が保存されているセキュリティ情報エリア部３０６を備えている。
【００７０】
また、ＳＩＭカード３００は、ＳＩＭカード３００全体を制御するＣＰＵ部３０２、データの入出力を行うデータＩ／Ｏ部３０１、ＳＩＭカード内部の各種ハードウェアからの信号をＣＰＵ部３０２に伝えるハードＩ／Ｆ部３０８、各種情報の不正な書き込みを防止するための暗号処理機能、認証機能、暗号キー生成等を行う暗号化エリア部３０３を備えている。そして、このＳＩＭカード３００に保存されているプライベート情報を除く全ての情報（加入者情報）は、図１に示すＭＳＣ２０５が管理するＨＬＲ２０６にも、データベースとして保管されている。
【００７１】
親機である携帯電話機２００には通常のＳＩＭカード２０２が要求されるため、契約者である父の契約者個人情報がＳＩＭカード２０２の中に書き込まれる。即ち、この場合には、上述したＳＩＭカード３００と同じ構成のＳＩＭカード２０２に保存される各種データは、先ず父に関するデータとなる。そして、子機は親機に従属するファミリー契約であるため、ＳＩＭカード２０２に保存されたＳＩＭ情報を基に子機用のＳＩＭ情報を作成すればよく、ＳＩＭカード２０２に保存されたＳＩＭ情報と異なる点は、基本的には各子機に割り振られる固有の電話番号だけとなる。
【００７２】
即ち、子機のためのＳＩＭ情報であって、それぞれの子機に割り振られた電話番号以外のＳＩＭ情報は全てＳＩＭカード２０２に保存されたＳＩＭ情報と同じ情報として管理される。これによりキャリアは、課金等、全て父のＳＩＭ情報を一元的に管理することでファミリー契約した全携帯電話機の管理を容易に行うことができる。
【００７３】
このようにして、上記制限を設けたファミリー契約用子機は、実際のＳＩＭカードをそれぞれの携帯電話機に挿入しなくても、そのＳＩＭ情報だけが携帯電話機内部に書き込まれればＳＩＭカードを挿入したのと同じことになる。即ち、ＳＩＭ情報をそれぞれの子機の内部メモリエリアに書き込めばＳＩＭカードは不要となり、あたかも実際のＳＩＭカードを挿入して使用しているかのような仮想ＳＩＭシステムが実現出来る。
【００７４】
次に、以上の基本説明をもとに、図１に示す携帯電話機、ＧＭＳの各種動作を図２、図３を参照して詳細に説明する。先ず、親機である携帯電話機２００の通話時の動作を説明する。キャリアと契約後に渡されるＳＩＭカード２０２がＳＩＭ挿入部１０８に挿入された後、携帯電話機２００の電源がオンされることにより表示部１１４にＰＩＮ番号入力指示が表示される。契約完了後、ユーザは電話番号とＰＩＮ番号をキャリアより通知されるとともにＳＩＭカード２０２を渡されており、その通知されたＰＩＮ番号をキー操作部１１３を操作して入力する。このＰＩＮ番号はＳＩＭカード盗難防止用の保護番号であり、ＳＩＭカード２０２内部のセキュリティ情報エリア部３０６に書き込まれた番号である。
【００７５】
ＰＩＮ番号が入力されると、ＣＰＵ部１０２は、ＳＩＭ-Ｉ/Ｆ部１０７を介してＳＩＭ挿入部１０８に挿入されたＳＩＭカード２０２の情報を読み出し、入力されたＰＩＮ番号とＳＩＭカード２０２内部のセキュリティ情報エリア部３０６のＰＩＮ番号が一致するかどうかを確認する。そして、一致した場合、ＣＰＵ部１０２は、ＳＩＭカード２０２内部の強制的な必須情報エリア部３０４にあるＩＭＳＩや管理情報を暗号化エリア部３０３で暗号化処理し、電話機能部１０１より基地局であるＢＴＳ２０３に送信する。
【００７６】
更に、ＢＴＳ２０３に送られた情報は、ＢＳＣ２０４を介してＭＳＣ２０５に送られる。契約完了時にＳＩＭカード２０２の情報はＭＳＣ２０５にも登録管理されているため、ＭＳＣ２０５が、このＢＴＳ２０３から送られてきた情報と登録されているＳＩＭカード２０２の情報とが一致すると判断した場合は、その結果を携帯電話機２００側に送り返す。すると、携帯電話機２００はコール・プロセス手段を基地局側との間で確立させ、通信可能な状態、いわゆる待ち受け状態となる。そして、ＣＰＵ部１０２は表示部１１４にその旨を表示し、携帯電話機２００のユーザは通話が可能となる。
【００７７】
一方、入力されたＰＩＮ番号が一致しない場合、ＣＰＵ部１０２は表示部１１４にＰＩＮ番号が不一致であることを表示する。もし、ユーザが３度間違ったＰＩＮ番号を入力すると、ＣＰＵ部１０２はＳＩＭカード不正使用と判断し、全機能をロック状態として二度と携帯電話機２００を使用出来なくする。尚、この使用禁止処置はＧＳＭシステムで決められたルールに則っている。
【００７８】
次に、図４に示すＳＩＭ書き込み装置が用いられて、ファミリー契約した子機である携帯電話機２０１ａにファミリー契約用のＳＩＭ情報を書き込む動作を図４〜図６を参照して説明する。図４はＳＩＭ書き込み装置の概略構成を示す概略図であり、図５及び図６は携帯電話機２０１ａへのＳＩＭ情報の書き込み動作を示すフローチャートである。説明の便宜上、図１、図２と同一の部分には同一の符号を付している。
【００７９】
図４に示すＳＩＭ書き込み装置は、キャリアの携帯電話販売店２１０に設置されている専用パソコン２１１、専用パソコン２１１に接続されているＳＩＭアダプタ４０７、専用パソコン２１１と携帯電話機２０１ａとを接続する専用ケーブル１１７から構成されている。専用ケーブル１１７の一端は携帯電話機２０１ａの外部Ｉ／Ｆ部１０６に接続されている。また、専用パソコン２１１は接続線４０９により公衆回線／専用回線２０９に接続されている。
【００８０】
先ず、ファミリー契約をするユーザは、既に契約完了して父が利用している携帯電話機２００に挿入されて使用されるＳＩＭカード２０２をキャリアの携帯電話販売店（以下、販売店という）２１０に持ち込み、販売店２１０でファミリー契約申し込み手続きを行う（ステップＳ１）。次に、販売店２１０の受付員は、新規に端末登録するために、キャリアのメイン制御を行うＭＳＣ２０５に、ＭＳＣ２０５と公衆回線／専用回線２０９で接続された専用パソコン２１１が用いられてファミリー契約申請業務を要求する。このとき、ファミリー契約申請を要求するファミリー契約申請要求情報が専用パソコン２１１からＭＳＣ２０５へ通知される（ステップＳ２）。
【００８１】
ファミリー契約申請要求情報が通知されたＭＳＣ２０５は、ファミリー契約登録サーバ２１４への登録作業を開始すると同時に、専用パソコン２１１に親ＳＩＭカードの情報を送信するよう要求する（ステップＳ３）。受付員は、親ＳＩＭカードであるユーザ持参のＳＩＭカード２０２をＳＩＭアダプター４０７にセットし（ステップＳ４）、ユーザからＰＩＮ番号を確認して専用パソコン２１１からそのＰＩＮ番号を入力する（ステップＳ５）。
【００８２】
専用パソコン２１１は、入力されたＰＩＮ番号とＳＩＭカード２０２に書き込まれているＰＩＮ番号とが一致すると判断した場合（ステップＳ６）は、ＳＩＭカード２０２の強制的な必須情報エリア部３０４の情報を取り出し、ＭＳＣ２０５に送信する（ステップＳ７）。一方、入力されたＰＩＮ番号とＳＩＭカード２０２に書き込まれているＰＩＮ番号とが一致しないと判断した場合（ステップＳ６）は、ＰＩＮ番号入力が再度行われるようにするが（ステップＳ５）、何度も一致しない場合には受付員は登録操作を終了する。
【００８３】
ＭＳＣ２０５は、送信されたＳＩＭカード２０２の強制的な必須情報エリア部３０４の情報が、ＨＬＲ２０６に既に登録されている情報と一致するかどうかを検索し（ステップＳ８）、一致する場合（ステップＳ９）は、このＳＩＭカード２０２が正規の加入者と判断して、ファミリー契約許可を専用パソコン２１１に通知する（ステップＳ１０）。一方、一致しない場合（ステップＳ９）は、ＳＩＭカード２０２は不正ＳＩＭカードであると判断して、登録作業を中止するとともに専用パソコン２１１にＳＩＭカード２０２からの情報が不一致でありファミリー契約は受付不能であることを通知する（ステップＳ３１）。そして、専用パソコン２１１の表示等で受付不能と分かった受付員はその旨をユーザに通知し（ステップＳ３２）、登録操作を終了する。
【００８４】
ファミリー契約許可が専用パソコン２１１に通知されることによりファミリー契約可能となったので（ステップＳ１０）、第１子機の使用制限等、ユーザの各種オプションが専用パソコン２１１で決定された後、決定されたファミリー契約条件は専用パソコン２１１からＭＳＣ２０５へ送信される（ステップＳ１１）。そして、ＭＳＣ２０５は、送信されたファミリー契約条件をファミリー契約登録サーバ２１４に登録すると同時に、ファミリー契約第１子機用の新規ＩＭＳＩをＨＬＲ２０６に登録する。また、ＭＳＣ２０５は、第１子機専用の新規暗号鍵を設定登録し、これら新規ＩＭＳＩと暗号鍵を専用パソコン２１１に送信する（ステップＳ１２）。
【００８５】
次に、専用パソコン２１１から第１子機となる携帯電話機２０１ａにＳＩＭ情報を書き込む動作に移行する。ユーザが自分の気に入った携帯電話機２０１ａを選択決定すると、受付員は一端が専用パソコン２１１に接続された専用ケーブル１１７の他端を携帯電話機２０１ａの外部Ｉ／Ｆ部１０６に接続した後、専用パソコン２１１を操作して、専用パソコン２１１から携帯電話機２０１ａへ書き込み要求信号を送信する（ステップＳ１３）。
【００８６】
そして、この書き込み要求信号を受信した携帯電話機２０１ａのＣＰＵ部１０２は、暗号鍵を専用パソコン２１１に要求する（ステップＳ１４）。暗号鍵の要求を受けた専用パソコン２１１は、ＭＳＣ２０５から入手した第１子機用の暗号鍵を携帯電話機２０１ａのＣＰＵ部１０２へ外部Ｉ／Ｆ部１０６を介して送信する（ステップＳ１５）。
【００８７】
そして、ＣＰＵ部１０２は、送信された第１子機用暗号鍵をアクセス認証部１１２にプログラム（書き込み）する（ステップＳ１６）。これにより、ＳＩＭ情報メモリ部１０３へのアクセスにはこの暗号鍵が用いられ、アクセス認証部１１２が同一暗号鍵と認識することでアクセス可能となる。尚、このアクセス認証部１１２の書き込み部分は一般に言うＲＯＭであるが、ワンタイム書き込みＲＯＭであり、再度書き込みは出来ない構造のＲＯＭである。これにより、一旦書き込まれた暗号鍵が外部からの不正書き込みによって改変されることを防止している。また、同時にこの暗号鍵は専用パソコン２１１で子機用のＳＩＭ情報を作成するためにも利用される。
【００８８】
そして、暗号鍵プログラムが終了すると携帯電話機２０１ａはＳＩＭ情報の受信（ダウンロード）を専用パソコン２１１に要求する（ステップＳ１７）。専用パソコン２１１は、ＭＳＣ２０５から入手した第１子機用のＩＭＳＩとこのＩＭＳＩ以外は全てＳＩＭカード２０２と同じＳＩＭ情報から成る第１子機用のＳＩＭ情報を、第１子機用の前記暗号鍵により暗号化し専用ケーブル１１７を介して携帯電話機２０１ａにダウンロードする（ステップＳ１８）。
【００８９】
ダウンロードされるＳＩＭ情報は、ＣＰＵ部１０２により、一旦、ＲＡＭ部１０４に格納される（ステップＳ１９）。そして、ダウンロードが完了した後、ＣＰＵ部１０２は、ダウンロードされたＳＩＭ情報をＲＡＭ部１０４からアクセス認証部１１２に転送し、アクセス認証部１１２にこのＳＩＭ情報の暗号鍵確認を指示する（ステップＳ２０）。
【００９０】
アクセス認証部１１２は、プログラムされている暗号鍵とＳＩＭ情報の暗号鍵とが合致するかどうかを判定し（ステップＳ２１）、合致した場合は、このプログラムされている暗号鍵でＳＩＭ情報を解凍（暗号解除）する（ステップＳ２２）。合致しない場合は、合致しなかった回数をカウントするカウンターの値が３回未満であれば（ステップＳ４１）、再び、ＣＰＵ部１０２が暗合鍵を専用パソコン２１１に要求する（ステップＳ１４）。合致しなかった回数をカウントするカウンターの値が３回になると（ステップＳ４１）、ＣＰＵ部１０２は、ＳＩＭ情報の書き込み動作を中断し（ステップＳ４２）、専用パソコン２１１に書き込みを中断したことを通知して全体の書き込み動作は終了する。
【００９１】
暗号解除されたＳＩＭ情報は、ＳＩＭ情報メモリ部１０３へのデータ書き込みが許可され、新規ＩＭＳＩ以外は全てＳＩＭカード２０２と同じＳＩＭ情報を持つ第１子機専用のＳＩＭ情報がＳＩＭ情報メモリ部１０３に保存される（ステップＳ２３）。
【００９２】
そして、携帯電話機２０１ａは、ＳＩＭ情報の書き込み完了、及び、ＲＯＭ部１０５に書き込まれている端末専用の機器識別番号を専用パソコン２１１に通知し（ステップＳ２４）、この通知を受けて専用パソコン２１１よりＭＳＣ２０５にＳＩＭ情報書き込み完了、及び、機器識別番号が通知される（ステップＳ２５）。尚、この機器識別番号とは端末製造会社に割り当てられた製造番号であり、業界規格として管理され端末製造会社に無関係の機器固有の番号である。
【００９３】
更に、ＭＳＣ２０５は、この通知を受けてＥＩＲ２０８に携帯電話機２０１ａの機器識別番号を登録し、携帯電話機２０１ａの使用許可通知を専用パソコン２１１に通知する（ステップＳ２６）。そして、ユーザはＳＩＭカード２０２と携帯電話機２０１ａを受付員から貰い受け、以上で、携帯電話機２０１ａのファミリー契約が全て完了する。以後、子機である携帯電話機２０１ａは通信可能となる。
【００９４】
携帯電話機２０１ａのＳＩＭ情報メモリ部１０３に保存されているＳＩＭ情報は、携帯電話販売店２１０の専用パソコン２１１からＭＳＣ２０５に登録され、更にＨＬＲ２０６及びＥＩＲ２０８に登録されているので、携帯電話機２０１ａで実際に通信を行う際には、ＳＩＭ情報メモリ部１０３に書き込まれたＳＩＭ情報は、電話機能部１０１を介してＢＴＳ２０３に伝播され、その結果、ＭＳＣ２０５によるユーザ認証が実行される。そして、携帯電話機２０１ａが通信することにより発生する課金は、課金サーバ２１５でファミリー契約として判断されるため、親機である携帯電話機２００への一元的な課金として扱われる。
【００９５】
以上の説明は、第１子機である携帯電話機２０１ａを例にして行ったが、第２子機である携帯電話機２０１ｂ、第３子機である携帯電話機２０１ｃの場合も同様である。このように、ＳＩＭ情報を第１〜第３子機である携帯電話機２０１ａ、２０１ｂ、２０１ｃにそれぞれ書き込むことで、これら携帯電話機２０１ａ、２０１ｂ、２０１ｃとＳＩＭカード２０２を挿入して使う父の携帯電話機２００との間で主従関係が確立する。その結果、携帯電話機２０１ａ、２０１ｂ、２０１ｃは利用時、基地局により主従関係のファミリー契約として管理され、課金はすべて父に請求される。
【００９６】
また、子供の場合、どうしても管理意識が薄いので、ＳＩＭカードを必要とする従来の携帯電話機であると、ＳＩＭカードの紛失や友人間での貸し借りといったＳＩＭカードの不正使用を発生させる要因が多くなる。従って、多少使用制限があってもＳＩＭカードの不正使用が発生しない環境が要望されているが、本実施形態に示す携帯電話機２０１ａ、２０１ｂ、２０１ｃの場合、母以外は子供が使用するが、ＳＩＭカードをそれぞれの携帯電話機に挿入することが無いので、ＳＩＭカードの紛失や不正利用といった心配がなくなる。
【００９７】
また、ファミリー契約している子機である携帯電話機２０１ａ、２０１ｂ、２０１ｃは、図１に示す第１オプション部１１５が無い構成にすることでコスト的にも安くなり、また、ＳＩＭ挿入部１０８がないために不正ＳＩＭが使えないという大きなメリットがある。また、不正ＳＩＭ使用に対して別途対応する場合は、第１オプション部１１５付きの携帯電話機とすることも可能である。
【００９８】
第１オプション部１１５付きの携帯電話機の場合、例えば、上述のようにしてファミリー契約の子機として登録された携帯電話機２０１ａに第１オプション部１１５が付いていると仮定する。この場合、第三者のＳＩＭカードをこの携帯電話機２０１ａのＳＩＭ挿入部１０８にセットし、基地局へのアクセスを試みると、ＣＰＵ部１０２は挿入された第三者のＳＩＭカードの識別情報をＳＩＭ−Ｉ／Ｆ部１０７を介して検出し、ＳＩＭ情報メモリ部１０３に保存されている識別情報を無効とする事で通話は全て第三者のＳＩＭカードへの課金となる。これによってこの携帯電話機２０１ａの所有者への課金、または、ファミリー契約の親機の所有者への課金は無くなる。
【００９９】
一方、第三者のＳＩＭカードでの不正使用を防止する方法としては、第三者のＳＩＭカードをＳＩＭ挿入部１０８にセットし、この第三者のＰＩＮ番号を入力した時点で、本来携帯電話機２０１ａが持っているＰＩＮ番号と異なるため、例えば、ＳＩＭ−Ｉ／Ｆ部１０７から挿入されている第三者のＳＩＭカードに電気的なダメージ、例えば、高電圧発生部１１８より高電圧を与えることで第三者のＳＩＭカードを破壊するということが可能である。また、例えば、知人、友人のＳＩＭカードだけを有効とする使用方法もある。この場合は、知人、友人のＳＩＭカードのＰＩＮ番号を事前に携帯電話機２０１ａのＳＩＭ情報メモリ部１０３に登録しておくことで可能となる。この登録は販売店２１０で契約オプションを変更するときなどに実行できる。
【０１００】
また、第１オプション部１１５が搭載されていない携帯電話機２０１ａのＳＩＭ情報を不正に操作しようと、外部Ｉ／Ｆ部１０６から不正なプログラムでアクセス認証部１１２にアクセスを試みた場合は、暗号鍵が合わないためアクセス認証部１１２が不正アクセスと判断し、ＳＩＭ情報メモリ部１０３をロック状態にすることでこの不正アクセスを無効とすることができる。また、例えば、何度目かの暗号鍵でアクセス認証部１１２が暗号鍵を認証したとしても、最初に暗号鍵が不一致の時点でＳＩＭ情報メモリ部１０３へロックが掛かり、以後のアクセスを受け付けないというようにすることもできる。
【０１０１】
また、更に異なる不正防止として、例えば、親ＳＩＭカードであるＳＩＭカード２０２が何らかの原因、例えば、盗難やアクシデントによる破壊などで利用出来なくなり、以後の使用禁止を父が販売店に通知し、ＳＩＭカード２０２の無効が販売店の専用パソコン２１１からＭＳＣ２０５に通知されると、ＭＳＣ２０５は直ちにＳＩＭカード２０２のＳＩＭ情報（加入者情報）を無効にすると同時にＳＩＭカード２０２に従属する子機のＳＩＭ情報（加入者情報）も無効にすることで不正の拡大を防ぐことができる。
【０１０２】
また、別のオプションとして、例えば、父は親機である携帯電話機２００を必要としなくなったが、母や子供は引き続き子機である携帯電話機２０１ａ、２０１ｂ、２０１ｃを利用する場合、販売店２１０に親ＳＩＭカードである父のＳＩＭカード２０２を持参し、これの無効処理を行うと同時に、母の携帯電話機２０１ａに書き込まれているＳＩＭ情報を親ＳＩＭカードのＳＩＭ情報とすることで、父の契約者個人情報はＭＳＣ２０５で全て抹消され、代わりに母の契約者個人情報が親ＳＩＭカードのＳＩＭ情報としてＭＳＣ２０５で登録される。これにより最初から面倒な登録手続きをしなくても、今までどおりのＩＭＳＩで引き続き携帯電話機２０１ａ、２０１ｂ、２０１ｃの利用が可能となる。
【０１０３】
このような変更、即ち、親機用として登録されているＳＩＭ情報を抹消し、代わりに子機用として登録されているＳＩＭ情報を親機用のＳＩＭ情報にする変更は、上述のように販売店２１０にＳＩＭカード２０２を持ち込んで行う代わりに、親機である携帯電話機２００から無線通信によって行うようにすることも可能である。以下に、無線通信による変更動作の一例を図７を参照して説明する。
【０１０４】
図７は、親機用のＳＩＭ情報の変更を説明するための携帯電話機２００の表示画面遷移を示す図である。親機である父の携帯電話機２００のメニュー画面からＳＩＭ編集を選択すると、表示画面はＳＩＭ編集画面７０１となる。ここで画面上の「ＳＩＭの無効」を選択決定すると、表示画面はＳＩＭ無効手続画面７０２に遷移する。
【０１０５】
そして、ここで画面上の「ファミリー契約の変更」を選択決定すると、表示画面はファミリー契約の変更画面７０３に遷移し、ここで画面上の「親ＳＩＭの変更」を選択決定すると、表示画面は親ＳＩＭの変更画面７０４に遷移する。ここで「新しい親ＳＩＭのＰＩＮは？」と表示されるので、母の子機である携帯電話機２０１ａのＰＩＮ番号を入力し決定すると、表示画面は親ＳＩＭの変更画面７０５に遷移する。ここで「新しい親ＳＩＭのＩＭＳＩは？」と表示されるので、携帯電話機２０１ａのＩＭＳＩを入力し決定する。
【０１０６】
このとき、携帯電話機２００は、この手続き情報とともに入力された携帯電話機２０１ａのＰＩＮとＩＭＳＩをＢＴＳ２０３へ送る。これらの情報はＢＳＳ２１２へのランダムアクセス用のチャンネルによって送られるため、親ＳＩＭ情報も同時に送られる。ＭＳＣ２０５はこの親ＳＩＭ情報とＳＩＭ編集用のコマンド情報を受信し、ＨＬＲ２０６の親ＳＩＭ情報を抹消し、携帯電話機２０１ａのＳＩＭ情報を親ＳＩＭ情報としてファミリー契約登録サーバ２１４で更新し、更新完了するとＢＴＳ２０３から父の携帯電話機２００に通知する。そして、父の携帯電話機２００の表示画面が変更完了画面７０６となり編集が完了する。
【０１０７】
以上、現在では各個人に専用端末が１台割り当てられる時代であり、ＳＩＭカードをいちいち抜き差しするケースは皆無にも係わらずＧＳＭシステムを継承することでＳＩＭカードが要求されるため、このようなＳＩＭを内蔵していると仮想できるシステムによる効果は計り知れないものがある。
【０１０８】
尚、以上の説明では、一般的な携帯電話機を例にとって説明したが、最近の情報端末、例えば、ノートＰＣやＰＤＡなどでは外部に通信モジュールを接続して携帯電話としての利用が可能であり、そのような情報機器に応用することも可能である。また、ＧＳＭシステムを例にとって説明したが、ＳＩＭカードのような識別モジュールを必要とするシステムであれば、本発明が適用可能であることは言うまでも無い。
【０１０９】
また、本発明は上述の実施形態に限定されるものではなく、本発明の趣旨を逸脱しない範囲において各部の構成等を適宜に変更して実施することも可能である。
【図面の簡単な説明】
【０１１０】
【図１】本発明の一実施形態のＧＳＭ（通信システム）を示すブロック図である。
【図２】図１に示す携帯電話機（通信端末装置）の内部構成を示すブロック図である。
【図３】ＳＩＭカード（識別モジュール）内部の構成を示すブロック図である。
【図４】ＳＩＭ書き込み装置の概略構成を示す概略図である。
【図５】携帯電話機へのＳＩＭ情報の書き込み動作の一部を示すフローチャートである。
【図６】携帯電話機へのＳＩＭ情報の書き込み動作の他の一部を示すフローチャートである。
【図７】ＳＩＭ情報編集時の携帯電話機の表示画面遷移を示す図である。
【符号の説明】
【０１１１】
１００    携帯電話機（携帯端末装置）
１０１    電話機能部
１０２    ＣＰＵ部
１０３    ＳＩＭ情報メモリ部（識別情報記憶部、個人認証番号登録部）
１０４    ＲＡＭ部
１０５    ＲＯＭ部
１０６    外部Ｉ／Ｆ部（外部インターフェイス部）
１０７    ＳＩＭ−Ｉ／Ｆ部
１０８    ＳＩＭ挿入部（識別モジュール挿入部）
１１１    第三者のＳＩＭカード
１１２    アクセス認証部
１１３    キー操作部
１１４    表示部（報知手段）
１１５    第１オプション部
１１６    第２オプション部
１１７    専用ケーブル
１１８    高電圧発生部
１１９    電池部
２００、２０１ａ、２０１ｂ、２０１ｃ    携帯電話機（携帯端末装置）
２０２、２１３、３００    ＳＩＭカード（識別モジュール）
２０３    基地局(ＢＴＳ:Base Transceiver Station)
２０４    基地局制御センター(ＢＳＣ:Base Station Controller)
２０５    移動端末交換局(ＭＳＣ:Mobile Service Switching Center、交換局)
２０６    加入者登録レジスター(ＨＬＲ:Home Location Register、登録サーバ)
２０７    ローミング登録レジスター(ＶＬＲ:Visitor Location Register、登録サーバ)
２０８    機器識別番号登録レジスター(ＥＩＲ:Equipment ID Register）
２０９    公衆回線／専用回線
２１０    携帯電話販売店
２１１    ＳＩＭ書き込み機（専用パソコン：情報処理装置）
２１２    基地局システム(ＢＳＳ:Base Station System)
２１４    ファミリー契約登録サーバ
２１５    課金サーバ
３０１    データＩ／Ｏ部
３０２    ＣＰＵ部
３０３    暗号化エリア部
３０４    強制的な必須情報エリア部
３０５    任意的な情報エリア部
３０６    セキュリティ情報エリア部
３０７    プライベート情報エリア部
３０８    ハードＩ／Ｆ部
４０７    ＳＩＭアダプタ（読出手段）
４０９    接続線
【図１】
2005318026.tif 000003
【図２】
2005318026.tif 000004
【図３】
2005318026.tif 000005
【図４】
2005318026.tif 000006
【図５】
2005318026.tif 000007
【図６】
2005318026.tif 000008
【図７】
2005318026.tif 000009